(57)【要約】【課題】レンズ鏡筒に衝撃が加わっても、レンズ鏡筒の機能を確保することを目的とする。【解決手段】レンズ鏡筒は、第１のレンズと、前記第１のレンズを光軸方向に沿ってガイドする第１の固定筒と、第２のレンズと、前記第２のレンズを光軸方向に沿ってガイドする第２の固定筒と、前記第１の固定筒および前記第２の固定筒の外周に配置されカム溝を有するカム筒と、を備え、前記第１の固定筒は、第１の規制面を有し、前記第２の固定筒は、前記カム溝に嵌合するフォロアピンと、前記フォロアピンの基端側で前記第１の規制面と径方向に重なり合う第２の規制面と、を有する。【選択図】図１０
2016122067.tif 000002
【特許請求の範囲】
【請求項１】
第１のレンズと、
前記第１のレンズを光軸方向に沿ってガイドする第１の固定筒と、
第２のレンズと、
前記第２のレンズを光軸方向に沿ってガイドする第２の固定筒と、
前記第１の固定筒および前記第２の固定筒の外周に配置されカム溝を有するカム筒と、を備え、
前記第１の固定筒は、第１の規制面を有し、
前記第２の固定筒は、前記カム溝に嵌合するフォロアピンと、前記フォロアピンの基端側で前記第１の規制面と径方向に重なり合う第２の規制面と、を有することを特徴とするレンズ鏡筒。
【請求項２】
前記第２の規制面は、周方向および光軸方向の少なくとも何れかの方向に沿って形成されていることを特徴とする請求項１に記載のレンズ鏡筒。
【請求項３】
前記第２の固定筒を位置決めピンを介して位置決めするセンサ保持部を備え、
前記位置決めピンは、前記フォロアピンと径方向において重なり合うことを特徴とする請求項１または２に記載のレンズ鏡筒。
【請求項４】
前記第２の固定筒は、前記第２のレンズをガイドするガイドバーが光軸方向に沿って配置され、
前記ガイドバーは、前記フォロアピンと径方向において重なり合うことを特徴とする請求項１ないし３の何れか１項に記載のレンズ鏡筒。
【請求項５】
請求項１ないし４の何れか１項に記載のレンズ鏡筒を備えることを特徴とする光学機器。
【発明の詳細な説明】
【技術分野】
【０００１】
本発明は、光軸方向への繰り出しおよび繰り込みが可能なレンズ鏡筒および光学機器に関する。
【背景技術】
【０００２】
銀塩フィルムを用いるフィルムカメラや撮像素子を用いるデジタルカメラ等の撮像装置には、従来からレンズ鏡筒が広く利用されている。レンズ鏡筒は、非撮影時（すなわち、カメラの電源がオフのとき）の小型化や、撮影時（すなわち、カメラの電源がオンのとき）の焦点距離の変更のために撮影レンズの繰り出しおよび繰り込みが可能である。
このレンズ鏡筒を用いることによって、例えば、撮影レンズの焦点距離を変更することができるズームカメラのみならず、焦点距離を固定した単焦点カメラであっても非撮影時にカメラを小型化することが可能になる。
【０００３】
近年、市場の要求に伴い、ズームカメラは焦点距離の比（ズーム倍率）と撮像素子が大きくなる傾向にある。そのため、カメラに備えられる撮影レンズの移動量（すなわち、レンズの繰り出し量・繰り込み量）が大きくなる傾向にある。
同じくカメラの携帯性の向上という市場の要求に伴い、カメラの小型化が求められており、様々な小型化技術も開示されている。つまり、小型で高倍率のカメラが求められている。
【０００４】
小型で高倍率のカメラを実現するためには、カメラに備えられるレンズ鏡筒の小型・高倍率化が必須である。ズーム倍率の大きなカメラは、撮影レンズの移動距離が大きいことから、レンズ鏡筒の駆動機構（レンズ駆動機構）も大型化して重量が重くなる傾向にある。
【０００５】
例えば、特許文献１には、ガイド軸の光軸に対する倒れ精度を向上させてレンズ群の倒れを抑制し、光学性能を向上させたズームレンズ鏡筒が開示されている。
【先行技術文献】
【特許文献】
【０００６】
【特許文献１】特開２０１２−４２７２９号公報
【発明の概要】
【発明が解決しようとする課題】
【０００７】
しかしながら、レンズ鏡筒の駆動機構の重量が重くなると、落下等によって衝撃がレンズ鏡筒の径方向に大きく加わる。通常、レンズ鏡筒はフォロアピンとカム溝とが径方向に嵌合し、フォロアピンがカム溝に沿って摺動することで、レンズ鏡筒の繰り出し、繰り込みが可能である。したがって、レンズ鏡筒に対する径方向への衝撃により、フォロアピンがカム溝から抜け、レンズ鏡筒が正常に動作しなくなるという問題がある。
【０００８】
本発明は、上述したような問題点に鑑みてなされたものであり、レンズ鏡筒に衝撃が加わっても、レンズ鏡筒の機能を確保することを目的とする。
【課題を解決するための手段】
【０００９】
本発明は、第１のレンズと、前記第１のレンズを光軸方向に沿ってガイドする第１の固定筒と、第２のレンズと、前記第２のレンズを光軸方向に沿ってガイドする第２の固定筒と、前記第１の固定筒および前記第２の固定筒の外周に配置されカム溝を有するカム筒と、を備え、前記第１の固定筒は、第１の規制面を有し、前記第２の固定筒は、前記カム溝に嵌合するフォロアピンと、前記フォロアピンの基端側で前記第１の規制面と径方向に重なり合う第２の規制面と、を有することを特徴とする。
【発明の効果】
【００１０】
本発明によれば、レンズ鏡筒に衝撃が加わっても、レンズ鏡筒の機能を確保することができる。
【図面の簡単な説明】
【００１１】
【図１】光学機器としてのカメラの外観斜視図である。
【図２】レンズ鏡筒の全体を示す分解斜視図である。
【図３】第１の固定筒を示す図である。
【図４】第２の固定筒を示す図である。
【図５】レンズ鏡筒の沈胴状態を示す断面図である。
【図６】レンズ鏡筒の撮影状態（ＷＩＤＥ）を示す断面図である。
【図７】レンズ鏡筒の撮影状態（ＴＥＬＥ）を示す断面図である。
【図８】第１の実施形態に係る、第１の固定筒と第２の固定筒との斜視図である。
【図９】レンズ鏡筒を光軸方向に対して直交する方向に切断した断面図である。
【図１０】図９に示すＡ部を拡大した断面図である。
【図１１】レンズ鏡筒を光軸方向に沿って切断した断面図である。
【図１２】図１１に示すＢ部を拡大した断面図である。
【図１３】第２の実施形態に係る、レンズ鏡筒を後側から見た図である。
【発明を実施するための形態】
【００１２】
以下、本発明に係る実施形態について図面を参照して説明する。なお、各図において、同一部材については同一番号を付し、重複する説明は省略する。
図１は、光学機器としてのカメラの外観斜視図である。なお、以下に示す各図では、適宜、被写体側を前側Ｆ、撮影者側を後側Ｒ、上側Ｕ、下側Ｌとして示している。
カメラ１は、カメラ筐体２、レンズ鏡筒３、発光部４、レリーズボタン５等を備える。
カメラ筐体２は、撮像素子を始めとする構成部材を収納する。レンズ鏡筒３は、撮影レンズの焦点距離を変更可能とし、カメラ筐体２の前側に配置される。発光部４は、被写体に照明光を照射するストロボ装置の一部を構成する。また、発光部４は、カメラ筐体２内に収納できるように配置される。レリーズボタン５は、カメラ筐体２の上面に配置され、撮像準備動作（焦点調節動作および測光動作）および撮影動作（フィルムや撮像素子への露光）を開始させるためのボタンである。
なお、図１は、カメラの代表的な構成を示しているが、本発明の構成は図１に示す構成に限定されるものではない。
【００１３】
次に、レンズ鏡筒３の構成について説明する。
図２は、レンズ鏡筒の全体を示す分解斜視図である。図３は、第１の固定筒を示す図である。図４は、第２の固定筒を示す図である。図５は、レンズ鏡筒の沈胴状態を示す断面図である。図６は、レンズ鏡筒の撮影状態（ＷＩＤＥ）を示す断面図である。図７は、レンズ鏡筒の撮影状態（ＴＥＬＥ）を示す断面図である。
レンズ鏡筒３は、１群レンズユニット１０、２群レンズユニット２０、３群レンズユニット３０、４群レンズユニット４０、５群レンズユニット５０、６群レンズユニット６０、第１の固定筒７０、第２の固定筒９０、カム筒１１０、センサ保持部１２０等を備える。
【００１４】
１群レンズユニット１０は、１群レンズホルダ１１と、１群レンズ１２とを有する。１群レンズホルダ１１は、略筒状に形成され、１群レンズ１２を保持する。また、１群レンズホルダ１１は、内周に３本のフォロアピン１３が１２０°間隔で組み込まれている（図５〜図７を参照）。
２群レンズユニット２０は、２群レンズホルダ２１と、防振レンズとしての２群レンズ２２、２群ベース２３とを有する（図５〜図７を参照）。２群ベース２３は、２群レンズ２２を保持する。２群レンズホルダ２１は、略筒状に形成され、２群レンズ２２を保持した２群ベース２３を光軸（ＯＡ）に対して直交する平面内で移動可能に保持する。２群レンズホルダ２１は、外周に３本のフォロアピン２４が１２０°間隔で組み込まれている。
【００１５】
３群レンズユニット３０は、３群レンズホルダ３１と、３群レンズ３２とを有する（図５〜図７を参照）。３群レンズホルダ３１は、３群レンズ３２を保持する。３群レンズ３２は、第１のレンズの一例である。
４群レンズユニット４０は、４群レンズホルダ４１と、４群レンズ４２とを有する（図５〜図７を参照）。４群レンズホルダ４１は、４群レンズ４２を保持する。４群レンズホルダ４１は、図示しないフォロアピンが組み込まれている。
【００１６】
５群レンズユニット５０は、５群レンズホルダ５１と、５群レンズ５２とを有する（図５〜図７を参照）。５群レンズホルダ５１は、５群レンズ５２を保持する。５群レンズホルダ５１は、フォロアピンと静圧ピンが組み込まれている。また、５群レンズホルダ５１は、３群レンズホルダ３１と光量調節部材５３とがビスによって固定されている。
６群レンズユニット６０は、６群レンズホルダ６１と、フォーカスレンズとしての６群レンズ６２とを有する。６群レンズホルダ６１は、６群レンズ６２を保持する。６群レンズホルダ６１は、コイル６３が接着固定されている（図５〜図７を参照）。
【００１７】
第１の固定筒７０は、１群レンズホルダ１１から５群レンズホルダ５１を直進規制する。第１の固定筒７０は、外周に３本のフォロアピン７１が１２０°間隔で一体に形成されている（図２、図３（ａ）等を参照）。また、第１の固定筒７０は、図示しない静圧ピンが１２０°間隔で一体に形成されている。第１の固定筒７０は直進キーと直進溝とが設けられ、１群レンズホルダ１１および２群レンズホルダ２１を光軸方向に移動可能にそれぞれ直進規制している。
また、第１の固定筒７０は、内部に図示しないガイドバー保持部が設けられ、２本の第１のガイドバー７２（図２を参照）を光軸方向に沿って保持する。３群レンズホルダ３１、４群レンズホルダ４１および５群レンズホルダ５１は、第１の固定筒７０に保持された２本の第１のガイドバー７２によって光軸方向にガイドされる。
【００１８】
また、第１の固定筒７０は、後側に３つの凹状の嵌合溝部７３（７３ａ〜７３ｃ）が形成される。嵌合溝部７３は、光軸に対して直交する方向から見て略矩形状であって、第２の固定筒９０の後述する嵌合突部９４（９４ａ〜９４ｃ）がそれぞれ嵌合される。
ここで、図３（ａ）、（ｂ）を参照して、第１の固定筒７０の嵌合溝部７３ｂについて説明する。図３（ａ）は、第１の固定筒の斜視図である。図３（ｂ）は、図３（ａ）のＩ−Ｉ線断面図である。図３（ｂ）に示すように、嵌合溝部７３ｂの内縁部７４は段状に形成される。具体的には、内縁部７４のうち内周面７５側には、対向する内縁部７４に向かって互いに突出する第１の突出部７７を有する。ここでは、図３（ｂ）に示す第１の突出部７７は、周方向に沿って突出する。
【００１９】
したがって、嵌合溝部７３ｂは、外周面７６側の溝幅ｗ１に比べて内周面７５側の溝幅ｗ２が狭くなるように形成される。第１の突出部７７のうち外周面７６側が、周方向に沿った第１の規制面７８を構成する。本実施形態の第１の固定筒７０は、第１の突出部７７および第１の規制面７８が、嵌合溝部７３ｂの内縁部７４の全周に亘って形成される。したがって、嵌合溝部７３ｂのうち前側は、第１の突出部７７が光軸方向の後側に向かって突出し、第１の規制面７８は光軸方向に沿って形成される。
なお、嵌合溝部７３ａ、７３ｃも同様に構成される。
【００２０】
第２の固定筒９０は、６群レンズホルダ６１を光軸方向に移動可能に支持する。第２の固定筒９０は、外周に３本のフォロアピン９１（９１ａ〜９１ｃ）が一体に形成されている（図２、図４（ａ）、（ｂ）等を参照）。第２の固定筒９０は、内部に図示しないガイドバー保持部が設けられ、２本の第２のガイドバー９２（図２を参照）を光軸方向に沿って保持する。６群レンズホルダ６１は、第２の固定筒９０に保持された２本の第２のガイドバー９２によって光軸方向にガイドされる。
【００２１】
また、図５〜図７に示すように、第２の固定筒９０は、マグネット９９を囲むように配置されるヨーク９３が固定されている。第２の固定筒９０のマグネット９９と、６群レンズホルダ６１のコイル６３とは、第２の固定筒９０内で対向して配置される。したがって、６群レンズホルダ６１のコイル６３に電流を流すと、マグネット９９の磁場によってコイル６３にローレンツ力が働き、６群レンズホルダ６１を光軸方向に駆動させることができる。このように、６群レンズホルダ６１を光軸方向に駆動することで、６群レンズ６２も同様に光軸方向に移動してピント合わせが行われる。
【００２２】
また、第２の固定筒９０は、後側に３本のフォロアピン９１（９１ａ〜９１ｃ）に近接して、３つの嵌合突部９４（９４ａ〜９４ｃ）が形成される（図４等を参照）。嵌合突部９４（９４ａ〜９４ｃ）は、光軸に対して直交する方向から見て略矩形状であって、第１の固定筒７０の嵌合溝部７３（７３ａ〜７３ｃ）に嵌合する。
ここで、図４（ａ）、（ｂ）を参照して、第２の固定筒９０の嵌合突部９４ｂについて説明する。図４（ａ）は、第２の固定筒の斜視図である。図４（ｂ）は、図４（ａ）のＩＩ−ＩＩ線断面図である。図４（ｂ）に示すように、嵌合突部９４ｂは、第２の固定筒９０の外周面９５から径方向に突出する。嵌合突部９４ｂの外縁部９６は段状に形成される。具体的には、外縁部９６のうちフォロアピン９１ｂ側には、互いに相反する方向に向かって突出する第２の突出部９７を有する。すなわち、フォロアピン９１ｂの基端側に、第２の突出部９７が形成される。ここでは、図４（ｂ）に示す第２の突出部９７は、周方向に沿って突出する。
【００２３】
したがって、嵌合突部９４ｂは、フォロアピン９１ｂ側の幅ｓ１に比べて外周面９５側の幅ｓ２が狭くなるように形成される。第２の突出部９７のうち外周面９５と対面する面が、周方向に沿った第２の規制面９８を構成する。本実施形態の第２の固定筒９０は、第２の突出部９７および第２の規制面９８が、嵌合突部９４の外縁部９６の全周のうち後側を除いて形成される。したがって、図４（ａ）に示すように、嵌合突部９４のうち前側は、第２の突出部９７が光軸方向の前側に向かって突出し、第２の規制面９８が光軸方向に沿って形成される。
【００２４】
また、図４（ｂ）に示すように、嵌合突部９４ｂの外周面１０１のうち、前側にフォロアピン９１ｂが形成されている。フォロアピン９１ｂは、光軸方向に対して直交する方向から見て周方向に長い略楕円状あるいは長円状である。なお、フォロアピン９１ｂ内には２つの肉抜用孔が形成されている。
また、嵌合突部９４ｂの後面には、光軸方向の後側に向かって突出する位置決めピン１００が挿入されている。
なお、嵌合突部９４ａ、９４ｃも同様に構成される。
【００２５】
カム筒１１０は、１群レンズホルダ１１から５群レンズホルダ５１を光軸方向に駆動する。カム筒１１０は、第１の固定筒７０および第２の固定筒９０の外周に配置される。カム筒１１０の外周には、フォロアピン１３と嵌合する１群カム溝１１１（図５〜図７を参照）や、ギア部１１２（図１を参照）が形成される。また、カム筒１１０の内周には、フォロアピン２４と嵌合する２群カム溝１１３や、フォロアピン９１と嵌合するカム溝１１４（後述する図９を参照）等、各々のフォロアピンとそれぞれ嵌合する複数のカム溝が形成される。更に、カム筒１１０の内周には、静圧ピンと一定の隙間を有し対向するカム溝が形成される。
【００２６】
センサ保持部１２０は、保持ベース１２１と、撮像素子１２２と、ズーム駆動部１２３とを有する（図２を参照）。保持ベース１２１は、略円板状に形成され、中央に撮像素子１２２を光軸に対して撮像面が直交する状態で保持する。ズーム駆動部１２３は、ズームモータ、ギア列を有する。ズーム駆動部１２３はギア列がカム筒１１０のギア部１１２に噛合してカム筒１１０を光軸回りに回転させる。
また、センサ保持部１２０は、第１の固定筒７０および第２の固定筒９０をビス等を用いて固定する。保持ベース１２１には、第２の固定筒９０を所定の位置で位置決めして固定するために、第２の固定筒９０の位置決めピン１００が挿入される位置決め孔１２４が形成される。
【００２７】
次に、レンズ鏡筒３におけるズーム動作について説明する。
カメラ１を起動すると、センサ保持部１２０のズーム駆動部１２３のズームモータに通電が開始され、ズームモータに連結されたギア列が回転する。ギア列の回転に伴い、ギア列と噛合するギア部１１２によってカム筒１１０が光軸回りに回転する。
カム筒１１０が回転すると、センサ保持部１２０に固定された第１の固定筒７０のフォロアピン７１とカム溝との嵌合によって、カム筒１１０が回転しながらカム溝に沿って光軸方向に移動する。
【００２８】
カム筒１１０の回転に伴い、１群レンズホルダ１１から５群レンズホルダ５１はそれぞれのフォロアピンとカム溝の嵌合により、カム溝に沿って直進溝、ガイドバーに直進規制されながら、それぞれ光軸方向に移動する。このようにして、カム筒１１０自体の光軸方向移動量と、カム筒１１０に対する各レンズホルダの光軸方向移動量とを加算し、各レンズ群の光軸方向における間隔を変化させることによってズーム動作させる（図６および図７を参照）。
【００２９】
（第１の実施形態）
次に、フォロアピン９１がカム筒１１０のカム溝１１４から抜け出ない構成について図８〜図１２を参照して説明する。
図８は、第１の固定筒７０と第２の固定筒９０とを組み合わせた状態を後側から見た斜視図である。
第１の固定筒７０と第２の固定筒９０とは、図３に示す状態から互いに光軸方向に近接させることで組み付けることができる。図８に示すように、第１の固定筒７０と第２の固定筒９０とが組み付けられた状態では、第１の固定筒７０内に第２の固定筒９０が嵌まり込む。また、第２の固定筒９０の嵌合突部９４ｂが、第１の固定筒７０の嵌合溝部７３ｂに嵌合する。このとき、図８に示すように、第１の固定筒７０の外周面７６と嵌合突部９４の外周面１０１とが面一になり、嵌合突部９４ｂの外周面１０１に形成されたフォロアピン９１ｂが、第１の固定筒７０の外周面７６から露出し、外周面７６よりも外側に突出する。なお、嵌合突部９４ａ、９４ｃと、嵌合溝部７３ａ、７３ｃとの嵌合も同様である。
【００３０】
図９は、各構成部材を組み付けたレンズ鏡筒３を光軸方向に対して直交する方向に切断した断面図であり、フォロアピン９１を通る位置で切断している。なお、図９では、１群レンズユニット１０を省略している。
図９に示すように、第１の固定筒７０の外周面７６から突出した、第２の固定筒９０のフォロアピン９１はそれぞれカム筒１１０の内周に形成されたカム溝１１４に嵌合する。
【００３１】
図１０は、図９に示すＡ部を拡大した断面図である。
図１０に示すように、嵌合突部９４ｂと嵌合溝部７３ｂとが嵌合した状態では、嵌合溝部７３ｂの第１の突出部７７が嵌合突部９４ｂの第２の突出部９７よりも径方向における内側（光軸中心側）に位置する。すなわち、第１の突出部７７と第２の突出部９７とは径方向で重なり合う。したがって、第１の突出部７７の第１の規制面７８と、第２の突出部９７の第２の規制面９８とが径方向で重なり合い、互いに対面する。なお、フォロアピン９１を通る位置で切断した場合に限られず、嵌合突部９４ｂと嵌合溝部７３ｂとが位置する範囲内であれば、光軸方向に対して直交する方向の何れの位置で切断しても、第１の規制面７８と第２の規制面９８とは径方向で重なり合う。
【００３２】
図１１は、図９に示すＩＩＩ−ＩＩＩ線を切断した断面図である。
図１１に示すように、第１の固定筒７０の外周面７６から突出した、第２の固定筒９０のフォロアピン９１ｂはカム筒１１０の内周に形成されたカム溝１１４に嵌合する。
図１２は、図１１に示すＢ部を拡大した断面図である。
図１２に示すように、嵌合突部９４ｂと嵌合溝部７３ｂとが嵌合した状態では、嵌合溝部７３ｂの第１の突出部７７が嵌合突部９４ｂの第２の突出部９７よりも径方向における内側（光軸中心側）に位置する。すなわち、第１の突出部７７と第２の突出部９７とは径方向で重なり合う。したがって、第１の突出部７７の第１の規制面７８と、第２の突出部９７の第２の規制面９８とが径方向で重なり合い、互いに対面する。
【００３３】
次に、本実施形態のレンズ鏡筒３の作用について説明する。ここでは、カメラ１を落下させてしまい、レンズ鏡筒３に衝撃が加わった場合を想定する。
レンズ鏡筒３に衝撃が加わると、カム筒１１０を介してフォロアピン９１ｂを径方向に移動させる力が働き、フォロアピン９１ｂはカム筒１１０のカム溝１１４から抜け出ようとする。このとき、図１０および図１２に示すように、フォロアピン９１ｂの基端側に形成された第１の突出部９７の第２の規制面９８と、第１の固定筒７０に形成された第１の突出部７７の第１の規制面７８とが径方向に重なり合っている。したがって、フォロアピン９１ｂが径方向に移動しようとしても、第１の規制面７８が、第２の規制面９８からの力を受けて、その移動を規制する。すなわち、フォロアピン９１ｂの径方向の変形が低減あるいは規制されるために、フォロアピン９１ｂがカム溝１１４から抜け出るのを防止することができ、レンズ鏡筒３に衝撃が加わってもレンズ鏡筒３の機能を確保できる。なお、嵌合突部９４ａ、９４ｃおよび嵌合溝部７３ａ、７３ｃでも同様に作用する。
【００３４】
（第２の実施形態）
第２の実施形態では嵌合溝部７３と嵌合突部９４との嵌合状態が、第１の実施形態と同様であるが、第２のガイドバー９２の配置を変更している。
図１３は、第２の実施形態に係るレンズ鏡筒３を後側から見た図である。なお、第１の実施形態と同様の構成は、同一符号を付して、適宜その説明を省略する。
本実施形態では、フォロアピン９１ａに近接して配置される位置決めピン１００は、フォロアピン９１ａと径方向に重なり合う。すなわち、フォロアピン９１ａのピン幅Ｐａを光軸方向に延ばした範囲内に位置決めピン１００が配置される。また、第２のガイドバー９２は、フォロアピン９１ａと径方向に重なり合う。すなわち、フォロアピン９１ａのピン幅Ｐａを光軸方向に延ばした範囲内に第２のガイドバー９２が配置される。
【００３５】
また、フォロアピン９１ｂに近接して配置される位置決めピン１００は、フォロアピン９１ｂと径方向に重なり合う。すなわち、フォロアピン９１ｂのピン幅Ｐｂを光軸方向に延ばした範囲内に位置決めピン１００が配置される。
また、第２のガイドバー９２は、フォロアピン９１ｃと径方向に重なり合う。すなわち、フォロアピン９１ｃのピン幅Ｐｃを光軸方向に延ばした範囲内に第２のガイドバー９２が配置される。
【００３６】
次に、本実施形態のレンズ鏡筒３の作用について説明する。ここでは、カメラ１を落下させてしまい、レンズ鏡筒３に衝撃が加わった場合を想定する。
レンズ鏡筒３に衝撃が加わると、カム筒１１０を介してフォロアピン９１を径方向に移動させる力が働き、フォロアピン９１はカム筒１１０のカム溝１１４から抜け出ようとする。このとき、フォロアピン９１は、径方向に重なり合って位置決めピン１００および第２のガイドバー９２の少なくとも何れかが配置されている。したがって、フォロアピン９１が径方向に移動しようとしても、位置決めピン１００および第２のガイドバー９２の少なくとも何れかが、その移動を規制する。すなわち、フォロアピン９１の径方向の変形が低減あるいは規制されるために、フォロアピン９１がカム溝１１４から抜け出るのを防止することができ、レンズ鏡筒３に衝撃が加わってもレンズ鏡筒３の機能を確保できる。
【００３７】
以上、本発明を種々の実施形態と共に説明したが、本発明はこれらの実施形態にのみ限定されるものではなく、本発明の範囲内で変更等が可能であり、上述した実施形態を適時組み合わせてもよい。
上述した実施形態は、カメラに適用する場合について説明したが、この場合に限られず、繰り出しおよび繰り込みが可能なレンズ鏡筒を用いた光学機器に適用することができる。
【００３８】
上述した実施形態の１群レンズユニット１０から６群レンズユニット６０の構成は、一例であって、必要に応じてレンズユニットを増減することができる。
上述した実施形態では、第１の突出部７７および第２の突出部９７は、周方向および光軸方向に突出する場合について説明したが、この場合に限られず、周方向または光軸方向の何れかの方向に突出していてもよい。したがって、第１の規制面７８および第２の規制面９８も、周方向または光軸方向の何れかの方向に沿って形成されていてもよい。
上述した実施形態では、第１のレンズが３群レンズ３２である場合について説明したが、第１のレンズは、４群レンズ４２または５群レンズ５２であってもよい。
【符号の説明】
【００３９】
１：カメラ  ２：カメラ筐体  ３：レンズ鏡筒  ４：発光部  ５：レリーズボタン  １０：１群レンズユニット  ２０：２群レンズユニット  ３０：３群レンズユニット  ４０：４群レンズユニット  ５０：５群レンズユニット  ６０：６群レンズユニット  ７０：第１の固定筒  ７８：第１の規制面  ９０：第２の固定筒  ９２：第２のガイドバー  ９８：第２の規制面  １００：位置決めピン  １１０：カム筒  １１４：カム溝  １２０：センサ保持部
【図１】
2016122067.tif 000003
【図２】
2016122067.tif 000004
【図３】
2016122067.tif 000005
【図４】
2016122067.tif 000006
【図５】
2016122067.tif 000007
【図６】
2016122067.tif 000008
【図７】
2016122067.tif 000009
【図８】
2016122067.tif 000010
【図９】
2016122067.tif 000011
【図１０】
2016122067.tif 000012
【図１１】
2016122067.tif 000013
【図１２】
2016122067.tif 000014
【図１３】
2016122067.tif 000015